(57)【特許請求の範囲】
【請求項１】
コンテンツサービス会社が放送システムを介してシステム加入者にコンテンツを提供するコンテンツ提供システムにおいて、
該コンテンツは動画像情報と該動画像情報のシーン毎の詳細情報とからなって、該放送システムからは該コンテンツに付帯してシステム加入者により該詳細情報の識別情報が記入可能な伝達情報が送信され、
該コンテンツを受信して利用する第１のシステム加入者により、所望とする該詳細情報の識別情報が該伝達情報に付加され、
該識別情報が付加された該伝達情報が、該第１のシステム加入者から、インターネットを介し、電子メールで第２のシステム加入者に送信され、
該第２のシステム加入者が受信した該伝達情報に付加されている該識別情報のうちの所望とする詳細情報の識別情報を選択して、選択された該識別情報が付加された該伝達情報を、該インターネットもしくは所定の回線網を介して該コンテンツサービス会社に送信し、
該コンテンツサービス会社が受信した該伝達情報に付加された該識別情報に該当する該詳細情報を、該放送システムもしくは該所定の回線網を介して、該第２のシステム加入者に配信することを特徴とするコンテンツ提供システム。
【請求項２】
コンテンツサービス会社が放送システムを介してシステム加入者にコンテンツを提供するコンテンツ提供システムにおいて、
該コンテンツは動画像情報と該動画像情報のシーン毎の詳細情報とからなって、該放送システムからは該コンテンツに付帯してシステム加入者により該詳細情報の識別情報が記入可能な伝達情報が送信され、
該コンテンツを受信して利用する第１のシステム加入者により、所望とする該詳細情報の識別情報が該伝達情報に付加され、
該識別情報が付加された該伝達情報が、該第１のシステム加入者から、インターネットを介し、電子メールで第２のシステム加入者に送信され、
該第２のシステム加入者が受信した該伝達情報に付加されている該識別情報のうちの所望とする詳細情報の識別情報を選択して、選択された該識別情報が付加された該伝達情報を、該インターネットもしくは一般公衆回線網に比べて伝送レートが充分大きい回線網を介して該コンテンツサービス会社に送信し、
該コンテンツサービス会社が受信した該伝達情報に付加された該識別情報に該当する該詳細情報と該詳細情報が付帯する該動画像情報とのいずれか一方もしくは両方を、該第２のシステム加入者の選択に応じて、該放送システムもしくは該回線網を介して、該第２のシステム加入者に配信することを特徴とするコンテンツ提供システム。
【請求項３】
請求項２において、
前記回線網はＨＤＲ（High Data Rate）方式移動体通信システム回線網であることを特徴とするコンテンツ提供システム。
【請求項４】
請求項１〜３のいずれか１つにおいて、
前記伝達情報は、前記詳細情報の識別情報を入力するための「ＩＤ」欄と選択するか否かの情報を入力するための「メモ」欄とからなり、
該「ＩＤ」欄には、前記第１のシステム加入者が選択する前記詳細情報の識別情報を入力し、該「メモ」欄には、前記第２のシステム加入者が該「ＩＤ」欄に入力された識別情報毎に購入するか否かを示すメモ情報を入力することを特徴とするコンテンツ提供システム。
【請求項５】
コンテンツサービス会社が、サーバにより、通信回線を介して複数の利用者に画像情報を提供するコンテンツ提供方法において、
該サーバは、コンテンツを管理するコンテンツ管理部と、コンテンツの配信を管理する配信管理部とを含み、
該サーバが、画像情報と、該画像情報の識別情報と、該識別情報と該画像情報に関する情報とが利用者によって書き込み可能な伝達情報とを備えたコンテンツを該利用者に提供するステップと、
該サーバが、該コンテンツを受信して利用した第１の利用者から電子メールにより該第１の利用者が情報を書き込んだ該伝達情報を受信した第２の利用者からの、該伝達情報による画像情報のうちの該第２の利用者が選択した該画像情報の提供依頼を受け付けて、該伝達情報に対応する画像情報のうちの選択された該画像情報を該コンテンツ管理部により検索し、該配信管理部を介して該第２の利用者に提供するステップと
を備えたことを特徴とするコンテンツ提供方法。
【請求項６】
コンテンツサービス会社が、サーバにより、通信回線を介して複数の利用者に画像情報を提供するコンテンツ提供方法において、
該サーバは、コンテンツを管理するコンテンツ管理部と、コンテンツの配信を管理する配信管理部とを含み、
該サーバが、動画像情報と、該動画像情報の各シーンに付帯した詳細情報と、該動画像情報の識別情報と、該識別情報と該動画像情報または該詳細情報に関する情報とが利用者によって書き込み可能な伝達情報とを備えたコンテンツを該利用者に提供するステップと、
該サーバが、該コンテンツを受信して利用した第１の利用者から電子メールにより該第１の利用者が情報を書き込んだ該伝達情報を受信した第２の利用者からの、該伝達情報による画像情報のうちの該第２の利用者が選択した該画像情報の提供依頼を受け付けて、該伝達情報に対応する画像情報のうちの選択された該画像情報を該コンテンツ管理部により検索し、該配信管理部を介して該第２の利用者に提供するステップと
を備えたことを特徴とするコンテンツ提供方法。
【発明の詳細な説明】
【０００１】
【発明の属する技術分野】
本発明は、放送システムを用いてシステム加入者にコンテンツを提供するコンテンツ提供システム及びコンテンツ提供方法に関する。
【０００２】
【従来の技術】
近年、放送システムのデジタル化が進み、放送衛星（ＢＳ：Broadcast satellite）によるデジタル放送（ＢＳデジタル放送）や通信衛星（ＣＳ：Commercial Satellite）によるデジタル放送（ＣＳデジタル放送），屋外での移動中でも携帯端末との間でも双方向通信が可能な楕円軌道衛星（ＥＳ：Elliptical satellite）によるデジタル放送（ＥＳシステム）が実現しており、さらには、地上波放送のデジタル化も近い将来実現する運びとなっている。
【０００３】
このような放送システムのデジタル化とともに、かかる放送システムを利用した各種コンテンツの提供システムも実現しており、その１つとして、動画像情報に、その動画像に伴う詳細な情報（詳細情報）を付加して放送するようにしたものが知られている。このシステムの加入者としての利用者側では、これをパソコン，携帯端末，テレビ受像機などの端末で受信し、視聴することができるが、通常は動画像情報が表示され、特定の操作を行なうことにより、その詳細情報を表示させることができるようにしている。
【０００４】
ところで、放送システムを利用してコンテンツの提供を受ける場合、コンテンツの提供時期は、コンテンツを提供するコンテンツサービス会社や放送会社によるスケジュールに従うものであって、利用者側としては、このスケジュールを示す放送番組表などから夫々のコンテンツの提供日時を知ることができる。従って、利用者は、この放送番組表をもとにして、提供される所望のコンテンツを取得することができる。
【０００５】
また、近年の多チャンネル化により、特定個人がコンテンツ提供会社に直接申し込み、各種の放送設備やインターネットなどを介してこれら多様なコンテンツの提供を受けようとする動きもみられる。
【０００６】
【発明が解決しようとする課題】
近年の情報技術の発展にともない、多様なコンテンツが世の中に氾濫し、これら情報の中から利用者が本当に欲しい情報を取得することが難しくなっている。また、利用者は、多様な情報（コンテンツ）の中から興味の深いものを発見したら、これら情報を友人に「口コミ情報」として伝えたいものもある。例えば、放送を見逃した友人にこの放送内容を連絡したい場合には、自分の感想を添えて、あるいは、ポイントを教えたいものである。しかし、例えば、上記の放送を介して取得したコンテンツ（動画像）はデータ量が膨大であり、この膨大なデータの中からどこの部分がどのように面白いのか、あるいはどこを見たらいいのかなどを友人に詳細に伝えることは困難である。しかも、このようにコンテンツは、コンテンツ提供会社の了解を得ないで友達に転送することは問題があり、また、これら膨大なデータを簡単に送信することはできない。
【０００７】
本発明の目的は、かかる問題を解消し、コンテンツの利用者がこのコンテンツに関する関連情報を第三者に簡単に送信可能であって、送信された第三者はこれを復元して利用者が伝達したかった内容を容易に把握することができるようにしたコンテンツ提供システム及びコンテンツ提供方法を提供することにある。
【０００８】
【課題を解決するための手段】
上記目的を達成するために、本発明は、コンテンツ提供者が画像情報とその識別情報が付加された伝達情報とからなるコンテンツを利用者に提供し、利用者間での伝達情報の書込みと送受信を許可し、利用者からの該識別情報が付加された伝達情報を受け付けて、該識別情報に対応する該画像情報を利用者に提供する。
【０００９】
即ち、本発明では、通信回線を介して複数の利用者に画像情報を提供するコンテンツ提供方法において、画像情報と、該画像情報の識別情報及び該画像情報に付帯した情報が書き込み可能な伝達情報とを備えたコンテンツを提供するステップと、該伝達情報による依頼を受け付けて、該伝達情報に対応する画像情報とを提供するステップをコンテンツ提供者が備えるようにする。
【００１０】
さらに、本発明は、通信回線を介して複数の利用者に画像情報を提供するコンテンツ提供方法であって、動画像情報と、該動画像情報の各シーンに付帯した詳細情報と、該動画像情報の識別情報と、該動画像情報または該詳細情報に付帯した情報が書き込み可能な伝達情報とを備えたコンテンツを利用者に各種の通信手段を介して提供し、利用者間において該伝達情報の書き込みや通信での送受信を許可し、この書き込みがなされた伝達情報による配信依頼を受け付けて、この伝達情報に対応する画像情報を提供し、該書込みがなされた伝達情報と配信された画像情報または詳細情報とを組み合わせて書き込みがなされたコンテンツを復元させる。
【００１１】
さらに、コンテンツサービス会社が提供するコンテンツは動画像情報と該動画像情報のシーン毎の詳細情報とからなって、放送システムから伝達情報を付帯して送信され、このコンテンツを受信して利用する第１のシステム加入者が所望とする該詳細情報の識別情報を該伝達情報に付加し、該識別情報が付加された該伝達情報が、インターネットを介し、メールで第２のシステム加入者に送信され、第２のシステム加入者が受信したこの伝達情報に付加されている識別情報のうちの所望とする詳細情報の識別情報を選択して、選択した識別情報を付加した伝達情報を、インターネットもしくは所定の回線網を介してコンテンツサービス会社に送信し、コンテンツサービス会社が受信した伝達情報に付加された識別情報に該当する詳細情報と詳細情報が付帯する該動画像情報とのいずれか一方もしくは両方を、放送システムもしくは回線網を介して、第２のシステム加入者に配信する構成とするものである。
【００１２】
【発明の実施の形態】
以下、本発明の実施形態を図面を用いて説明する。
図１は本発明によるコンテンツ提供システム及びコンテンツ提供方法の一実施形態を概略的に示すブロック図であって、１はコンテンツサービス会社、２は放送会社、３ａ，３ｂは利用者、４はＨＤＲ（Hight Data Rate）方式移動体通信システム回線網、５はインターネットである。なお、カッコ内の数字は手順を示すものである。
【００１３】
同図において、コンテンツサービス会社１はインターネット５に接続されており、コンテンツを作成してこれを販売する。放送会社２は、コンテンツサービス会社から所望とするコンテンツを購入し、あるいは、コンテンツの作成を委託し（１）、かかるコンテンツを放送してこのシステムの加入者である利用者３ａ，３ｂに提供する（２，７）。放送方法としては、ＢＳデジタル放送でも、ＣＳデジタル放送でもよいし、また、携帯との間で双方向通信可能なＥＳシステムでも、地上波デジタル放送でもよい。
【００１４】
各利用者３ａ，３ｂは、この放送を受信して視聴することができるが、いま、利用者３ａが放送会社２で放送されるコンテンツを受信し、その内容である動画情報や静止画情報，音声情報などを観賞した結果、それらのコンテンツ内容のうち、利用者３ｂに知らせたいものがある場合には、これを、インターネット５を介し、この利用者３ｂに所定の方法でもって知らせることができる（３）。この知らせを受けた利用者３ｂは、その知らせの中で取得したいコンテンツ内容がある場合には、インターネット５を介して（４）、あるいは、携帯電話などの携帯端末などにより（４’）、ＨＤＲ方式移動体通信システム回線網４（あるいは、図示しないが、通常の公衆回線網などの他の回線網）を介してコンテンツサービス会社１にこのコンテンツ内容を注文することができる。コンテンツサービス会社１は、この注文を受けると、注文があったコンテンツ内容をＨＤＲ方式移動体通信システム回線網４を介して配信し（５）、利用者３ｂはこれを携帯端末などで受けることができる（６）。
【００１５】
このように、この実施携帯でのコンテンツサービス会社１は、例えば、放送会社２や自らインターネットなどを介して利用者にコンテンツを提供する。この利用者に提供されるコンテンツは以下に説明する所定の方法でコンテンツと関連する情報を書き込み可能であり、この書き込んだ関連情報はコンテンツ本体と分離して第三者に簡単に転送することができる。そして、伝達された情報（伝達情報）によれば、対応するコンテンツのタイトルや識別情報とコンテンツサービス会社１のアドレスが付加されているので、第三者は伝達された情報（伝達情報）を介してコンテンツサービス会社１から対応するコンテンツを取得することができる。
【００１６】
従って、利用者間の連絡はデータ量が少ない上記関連情報のみの送信で済むことになるので、メールなどで簡単に添付することができる。しかも、この伝達情報を受け取った利用者は、コンテンツサービス会社１から簡単にコンテンツを入手して、送信した利用者の書き込んだ情報をコンテンツの本体と組み合わせて復元することができるので、利用者間の意図が伝達し易くすることができる。
【００１７】
また、コンテンツサービス会社１は、コンテンツ本体に付帯される伝達情報が利用者間で伝達されることを許可することにより、この伝達情報によりコンテンツサービス会社１に再びアクセスするので、コンテンツの提供回数を増やすことができる。そして、これらのコンテンツの提供に対し、提供対価を得たり、あるいは、会員サービスとすることにより、会員を増やして企業利益を得ることができる。
【００１８】
図２は放送会社２がコンテンツサービス会社１から購入して放送するコンテンツの一態様を示す概略図である。
【００１９】
図２（ａ）において、コンテンツ１０は動画情報と詳細情報とからなり、動画情報は１以上の動画のシーン（カットや場面など）Ａ，Ｂ，Ｃ，……からなっている。また、コンテンツ１０の先頭部に、このコンテンツ１０を特定するための識別番号やタイトル（コンテンツ名）などのＩＤ情報が付加されている。
【００２０】
図２（ｂ）に示すように、かかる動画情報１１の各シーンは（ここでは、シーンＡを示すが、他のシーンＢ，Ｃ，……についても同様）、それを特定するための識別情報ＩＤ（Ａ）が付加されており、また、これに詳細情報１２がリンクされている。ここでは、シーンＡに対して２つの詳細情報ａ1，ａ2を示すが、かかる詳細情報ａ1，ａ2は、このシーンＡに関連する詳細な内容を示す文章や画像などの静止画情報であって、その内容としては、このシーンの概略説明（例えば、博物館を案内し始めるシーンの場合には、この博物館の紹介説明文）や、このシーンで表示される特定の物や特定の人物の紹介あるいは詳細部分の説明画像など、シーンＡに関連する詳細な内容を表わすものであれば、何でもよい。なお、各詳細情報ａ1，ａ2にも夫々、それらを識別するための識別番号やタイトルなどからなる識別情報ＩＤ（ａ1），ＩＤ（ａ2）が付加されている。
【００２１】
かかる詳細情報ａ1，ａ2は、このコンテンツを受信して表示する利用者３ａの端末では、通常、表示されるものではないが、シーンＡが表示されている期間内において、端末で所定の操作をすると、コンテンツサービス会社１によって決められた特定の時間Ｔ1に詳細情報ａ1が、同じく時間Ｔ2に詳細情報ａ2を表示させることができる。
【００２２】
かかるコンテンツ１０には、さらに、図３(ａ）に示すような伝達情報１３1が付帯している。これも、コンテンツサービス会社１から放送会社２にコンテンツ１０とともに送られ、放送会社２からコンテンツと同時に放送される。これを受信した利用者３ａの端末では、この伝達情報１３1が保管される。この伝達情報１３1は「ＩＤ」欄と「メモ」欄とが設けられているが、利用者３ａがこれを受信したときには、これらの欄は全て空欄となっている。なお、この伝達情報１３1には、コンテンツサービス会社１のメールアドレスも一体に付加されている。
【００２３】
かかる伝達情報１３1は、図３（ｂ）に示されるように、利用者３ａによってその「ＩＤ」欄に所望とする詳細情報１２（図２）の識別情報を記入し、さらに、図３（ｃ）に示すように、利用者３ａが「メモ」欄に推奨する識別情報の、例えば、評価として、○×（丸バツ）評価を付加するようにする。勿論、この評価に代えてコメントを付加し、利用者３ａの意図をより明確に利用者３ｂに伝えるようにすることもできる。そして、利用者３ｂからアクセスを受けたコンテンツサービス会社１は、この「メモ」欄に書き込んだ情報のみ、もしくは購入希望の有無、あるいはコンテンツ全体を利用者３ｂに選択させて、コンテンツを提供する。
【００２４】
以下、図１に示す実施形態での利用者３ａがコンテンツを受信してから利用者３ｂがコンテンツサービス会社１に伝達情報１３3を注文書として送付するまでの手順を説明する。
【００２５】
利用者３ａがコンテンツ１０を受信し、そのまま端末で表示させるか、あるいは一旦記録再生装置で記録して再生すると、図４（ａ）に示すようなシーンＡの動画像情報の画面１４が表示される。この画面１４での画像１５に対しては、詳細情報が付帯してないものとする。このシーンＡが進んで図４（ｂ）示すような画面１４が表示され、このとき、詳細情報ａ1が付帯した画像１６が表示されるようになると、例えば、画面１４の右上隅にそのことを示すマーク１７が表示される。そこで、このマーク１７にカーソル（図示せず）を合わせてクリックすると（これを、以下、単にクリックするという）、図４（ｃ）に示すように、画面１４の一部にこの詳細情報ａ1を表わす詳細画面１８が表示される。これによって、画像１６に関する情報をみることができる。
【００２６】
なお、設定により、マーク１７の表示、非表示を選択できるようにすることも可能である。
【００２７】
この詳細画面１８に表示される「戻る」ボタン１８ｂをクリックすると、単に図４（ｂ）に示すもとの画面１４（勿論、詳細画面１８を見ている期間だけ表示内容は進んでいる）に戻るが、詳細画面１８に表示される「チェック」ボタン１８ａをクリックすると、同様にして、図４（ｂ）に示すもとの画面１４に戻るとともに、図３（ｂ）に示すように、伝達情報１３2の「ＩＤ」欄にこの詳細情報ａ1の識別情報ＩＤ（ａ1）が記入される。従って、図４（ｃ）における詳細画面１８での詳細情報ａ1を利用者３ｂ（図１）に知らせたい場合には、この詳細画面１８での「チェック」ボタン１８ａをクリックすればよい（これを、詳細情報がチェックされた、という）。
【００２８】
さらにシーンＡが進んで図４（ｄ）に示す画面１４となり、この画面１４でも、詳細情報ａ2が付帯した画像１７が表示されると、この画面１４でも、同様にして、マーク１７をクリックすることにより、この詳細情報ａ2をみることができる。
【００２９】
なお、このマーク１７は、当然のことながら、画面に詳細情報が付帯した画像が表示されている限り、表示され、この詳細情報を見ることができるようにするものであるが、詳細情報が付帯された画像が同時に２以上表示されているときには、このマーク１７をクリックする毎に異なる詳細情報が表示されるようにして、しかも、これがサイクリックに繰り返されるようにして１度見た詳細情報を２回以上見ることができるようにする。この場合、どの画像の詳細情報であるかを明確にするために、詳細画面１８は該当する画像を隠さないように表示され、かつ矢印などでこの該当画像を指し示すようにするとよい。
【００３０】
図５は伝達情報１３1へのメモ記入方法の他の具体例を示す図である。
【００３１】
図５（ａ）は利用者３ａの端末の表示画面１９で受信したコンテンツの動画像情報のみを表示した状態を示すものであって、動画像情報の表示領域２０は表示画面１９のほぼ全域となる。
【００３２】
かかる動画像表示領域２０で現在表示される動画像情報に詳細情報が付帯している場合、例えば、図４で示したようなマーク１７が動画像表示領域２０の所定の位置に表示されたり、あるいは、該当する動画像が矢印などで指示されたりなどして、詳細情報が付帯していることが判るようなとき、カーソル（図示せず）を、動画表示領域２０の決められた位置、例えば、右下隅の位置２１にセットして動画像表示領域２０内の任意の位置２２に移動させ、所定の操作を行なうと、図５（ｂ）に示すように、動画像表示領域２０が、その右下隅をこの位置２２とする縮小された画面に変換される。
【００３３】
このような動画像情報の表示状態で、このときに詳細情報が存在すると、表示画面の余白部（この場合には、表示画面１９の右辺部）にこれら詳細情報全ての識別情報ＩＤが表示される（ここでは、詳細情報ａ1，ａ2が存在し、表示領域２４，２５に夫々これらの識別情報ＩＤ（ａ1），（ａ2）が表示されているものとしている）。そこで、そのうちの１つ、例えば、識別情報ＩＤ（ａ1）を選択すると、この表示画面１９の一部に詳細情報表示領域２３が設定され、そこにこの識別情報に対する詳細情報ａ1が表示される。この詳細情報ａ1を利用者３ｂに知らせたい場合には、図４の場合と同様、「チェック」ボタン２６ａをクリックすればよく、不要であれば、「戻る」ボタン２６ｂをクリックすればよい。また、「チェック」ボタン２６ａをクリックすることにより、図３（ｂ）に示す「ＩＤ」欄に当該識別情報ＩＤ（ａ1）が記録されるとともに、図５（ｂ）では図示しないが、図３（ｃ）に示す「メモ」欄の入力表示領域が表示される。例えば、この実施形態では、○印や×印，△印などの評価選択欄が表示される。しかし、設定により、文字入力欄を表示させ、コメントを書き込むことができる。
【００３４】
なお、「戻る」ボタン２６ｂをクリックした場合には、詳細情報表示領域２３がなくなるだけであり、これにより、他の詳細情報の識別情報を選択することができる。また、図５（ｂ）に示す表示状態から図５（ａ）に示す表示状態に戻す場合には、カーソルによって上記とは逆の操作をすればよいし、また、他の適当な操作で行なわせることも可能である。
【００３５】
なお、図５（ｂ）に示すような表示状態で識別情報ＩＤ（ａ1），（ａ2）に該当する詳細情報がなくなった場合には、表示領域２４，２５がなくなり、他の付帯する詳細情報が存在するようになると、新たにこれらの識別情報が同様に表示されるようになるが、詳細情報表示領域２３は、いずれかのボタン２６ａ，２６ｂが操作されない限り、消滅するようなことはない。これにより、詳細情報表示領域２３に表示される詳細情報をゆっくりと見ることができる。
【００３６】
このようにして、図３（ｂ）に示すように、チェックされた全ての詳細情報の識別情報が「ＩＤ」欄に記入された伝達情報１３2が得られることになる。
【００３７】
かかる伝達情報１３2は、利用者３ａがその端末で所定の操作を行なうことにより、インターネット５（図１）により、電子メールで利用者３ｂの携帯電話やパソコンなどの端末に送られる。そこで、利用者３ｂがこの端末でこの電子メールを開くと、図３（ｃ）に示す伝達情報１３2の画面が表示される。
【００３８】
そこで、利用者３ｂは、利用者３ａから送られてきた内容を見たい場合、この伝達情報１３をコンテンツサービス会社１に送付する。この伝達情報１３は、コンテンツサービス会社１のアドレスやコンテンツ本体である動画像情報や詳細情報にリンクしているので、この伝達情報１３がコンテンツサービス会社１への注文書としての役割を果たすことになる。
【００３９】
なお、この実施形態では、伝達情報１３だけでは、コンテンツのタイトル程度の情報やコメントがある場合には、図３（ｃ）に示す表示画面において、「ＩＤ」欄を「タイトル」欄とすることなどして、伝達される概略を把握できるようにしてもよい。このようにすることにより、利用者３ｂは利用者３ａの伝達内容が分かるので、利用者３ｂ側でこの「タイトル」欄の内容から所望とする詳細情報を選択可能（メモ欄の修正書き込み）とし、この選択された伝達情報１３でコンテンツサービス会社１に対応するコンテンツを発注するようにしてもよい。さらに、伝達情報１３に利用者３ａが選択した概要情報を添付することにより、図３（ａ），（ｂ）に示すような伝達情報１３1，１３2を利用者３ａ側で作成し、伝達情報１３2について、利用者３ｂが、例えば、購入するものに○印を、購入しないものに×印を夫々書き込んで、図３（ｃ）に示す注文書のような情報とし、これをコンテンツサービス会社１に送付するようにしてもよい。
【００４０】
なお、図３（ｃ）では、シーンＢ，Ｃ，……についても、同様のことが行なわれたものとしている。
【００４１】
このようにして伝達情報１３3が作成されると、利用者３ｂは、これを注文書として自己のＩＤやアドレスとともに、コンテンツサービス会社１にインターネット５により電子メールで（図１での手順（４））、あるいは、特に、端末が携帯端末である場合には、ＨＤＲ方式移動体通信システム回線網４によりメールで（図１での手順（４’））夫々送付する。コンテンツサービス会社１では、受信したＩＤなどをもとに銀行や郵便局，クレジット会社などの金融機関にこの利用者３ｂの口座の確認を行ない、この確認が得られると、伝達情報１３3によって注文を受けた詳細情報をＨＤＲ方式移動体通信システム回線網４を介して（あるいはまた、利用者３ｂがインターネット５での自己のアドレスも送ることにより、インターネット５を介して）利用者３ｂの携帯端末などの端末に送付し（図１での手順（５，６））、これとともに、この利用者の口座から代金を引き落とす。なお、利用者３ｂの要求により、詳細情報をコンテンツサービス会社１から放送会社２を介して利用者３ｂに送るようにしてもよい（図１での手順（１），（２））。
【００４２】
以上説明したように、利用者３ｂは、他の利用者３ａによって伝達された伝達情報１３をコンテンツサービス会社１に送信することにより、この伝達情報１３に対応する動画像情報や詳細情報を入手し、他の利用者３ａが伝えたい内容を容易に把握することができる。そして、利用者３ａ，３ｂ間の通信は伝達情報１３のみであって、通信料や時間を短縮することができ、コンテンツサービス会社１は、利用者３ａ，３ｂに夫々コンテンツを提供して、その購入代金を得ることができる。
【００４３】
なお、回線網として、伝送レートが高いＨＤＲ方式移動体通信システム回線網４を用いたが、静止画情報や文字情報である容量の小さい詳細情報のみを購入対象とする場合には、伝送レートが低い一般公衆回線を用いるようにしてもよい。
【００４４】
なお、上記の伝達情報１３（図３）は、これが付帯して送信されたコンテンツに対して使用できるものであって、このため、この伝達情報１３には、これに該当するコンテンツの識別情報ＩＤも付加されており、これにより、コンテンツサービス会社１では、配信依頼のコンテンツが即座に判るようにしている。
【００４５】
ところで、ＨＤＲ方式移動体通信システム回線網は、最大２．４Ｍｂｐｓという、一般公衆回線に比べて極端に高い伝送レートを有するものであるから（例えば、「NIKKI ELECTRONICS」2000.1.31（no.762）pp.36 「ニュース・ダイジェスト」の記事を参照）、これを用いる場合には、コンテンツの動画像情報の購入も可能となる。但し、この場合でも、動画像情報としては、全ての情報量を短時間で送ることができず、１秒に１画面の割合など圧縮された形態で伝送される。以下、動画像情報もコンテンツサービス会社から購入できるものとして、この実施形態でのコンテンツサービス会社とコンテンツを注文する利用者３ｂとの間の手続きについて具体的に説明する。
【００４６】
ここで、まず、コンテンツサービス会社１のサーバについて、その概略を図６により説明する。
【００４７】
同図において、コンテンツサービス会社１のサーバは、製作したコンテンツを管理するコンテンツ管理部１ａと、顧客（図１における利用者３ａ，３ｂなど）の利用履歴情報や課金情報を管理する顧客管理部１ｂと、注文があった顧客へのコンテンツの配信を管理する配信管理部１ｃと、顧客からのコンテンツの注文を管理するリクエスト管理部１ｄと、料金を管理する課金管理部１ｅなどから構成されている。かかるサーバの構成は、先の実施例についても同様である。コンテンツ管理部１ａで管理されるコンテンツは、コンテンツ毎に各シーンとその詳細情報とが互いにリンクされた関係で管理されている。
【００４８】
図７は上記の手続きの一具体例を示すフローチャートである。なお、かかる手続きでのコンテンツサービス会社１と利用者３ｂとの情報のやり取りは、インターネット５（図１）を介してメールで行なわれるものとする。
【００４９】
図６及び図７において、上記のように、利用者３ｂが図３（ｃ）に示した伝達情報１３3を送ってコンテンツの配信依頼（注文）をし（ステップ１００）、コンテンツサービス会社１がこれを受信すると（ステップ１０１）、リクエスト管理部１ｄが起動してコンテンツ管理部１ａを動作させ（ステップ１０２）、これにより、コンテンツ管理部１ａがコンテンツの検索を行なう（ステップ１０３）。この検索は、伝達情報１３3での内容をもとに行なうものであって、ここでは、「メモ」欄に識別情報ＩＤが書き込まれたものが検索されるから、これら識別情報ＩＤの詳細情報が付帯したコンテンツが検索される。そして、このコンテンツについて配信依頼受付画面が作成されて、利用者３ｂの端末にメールで送信される（ステップ１０４）。この端末では、この配信依頼受付画面が受信されて表示される（ステップ１０５）。
【００５０】
図８はかかる配信依頼受付画面の一具体例を示す図である。
【００５１】
同図において、配信依頼受付画面２７には、上記の検索したコンテンツのタイトルが表示され、必要とする情報の選択、即ち、このコンテンツの動画像情報を必要とするかどうか、また、詳細情報を必要とするかどうかという選択ができるようにしており、また、コンテンツの配信方法として、ＨＤＲ方式移動体通信システム回線網４（図１）を利用するか、または、上記のＥＳシステムを利用するかを選択できるようにしている。
【００５２】
かかる配信依頼受付画面２７で上記の選択を行なって（ここでは、動画像情報と詳細画像情報との双方の希望し、また、ＥＳシステムによる配信を希望したものとしている）依頼内容を設定し（ステップ１０６）、配信依頼受付画面２７での「送信」ボタン２７ａを選択すると、この設定内容がコンテンツサービス会社１にメールで送信される（ステップ１０７）。「キャンセル」ボタン２７ｂを選択した場合には、配信依頼受付画面２７で設定された内容が新しい順に１つずつキャンセル（画面戻り）され、全てキャンセルされた後に再度「キャンセル」ボタン２７ｂを選択すると、この配信依頼がキャンセルされたものとして動作が終了する。
【００５３】
コンテンツサービス会社１では、かかる設定内容を受信すると（ステップ１０８）、課金管理部１ｅがこの設定内容から料金を計算し（ステップ１０９）、上記の設定内容にこの料金を含めた確認画面を作成して利用者３ｂの端末に送信する（ステップ１１０）。これにより、この端末には、確認画面が表示される（ステップ１１１）。
【００５４】
図９はかかる確認画面の一具体例を示す図である。
【００５５】
同図において、この確認画面２８では、図２７に示す配信依頼受付画面２７で設定した内容とこれに対する料金とが表示される。
【００５６】
利用者３ｂがかかる確認画面２８の内容を了解し、「確認」ボタン２８ａを選択すると、承認したことを示す確認情報がコンテンツサービス会社１に送信され（ステップ１１２）。コンテンツサービス会社１では、これが受信されると（ステップ１１３）、顧客管理部１ｂが以上の利用者３ｂに関する情報を利用履歴情報として、また、課金管理部１ｅが計算した料金を課金情報として夫々保存管理する（ステップ１１４）。これとともに、配信管理部１ｃは、上記コンテンツの動画像情報と上記の伝達情報１３３で依頼があった詳細情報ａ1，ｂ3，ｃ1とを、ＥＳシステムにより（図１の手順（７）による）、放送会社２（図１）に放送させて送信する（ステップ１１５）。これにより、利用者３ｂ側では、携帯端末でかかるコンテンツを受信することができる。
【００５７】
このようにして、利用者３ｂは、利用者３ａからの詳細情報に関する伝達情報１３3に基づいて、詳細情報ばかりではなく、動画像情報もコンテンツサービス会社１から購入することができる。
【００５８】
なお、上記のように、コンテンツサービス会社１が伝達情報１３3の詳細情報のみを販売するものであるときには、図７において、このコンテンツサービス会社１は、ステップ１０３でこの詳細情報を検索すると、ステップ１０９に進んで料金を計算し、以下、ステップ１１０からの手順を行なうようにしてもよい（従って、図９に示す確認画面２８では、利用者３ｂが希望した詳細情報のタイトルと料金とが表示されることになる）。
【００５９】
なお、以上のように伝達情報を用いてコンテンツサービス会社から直接コンテンツを購入することは、システム加入者としての利用者全員が可能であり、また、放送会社２からコンテンツを受信した利用者自体（上記の場合には、利用者３ａ）が、受信したコンテンツに付帯した伝達情報を用いてこの受信したコンテンツの提供を直接コンテンツサービス会社から受けるようにすることができることは言うまでもない。
【００６０】
各利用者３ａ，３ｂの端末では、以上のように伝達情報を用いてコンテンツサービス会社へコンテンツの依頼をした結果を確認することができるようにしている。図１０はその確認のためのコンテンツ一覧画面２９の一具体例を示す図である。
【００６１】
利用者は、その端末を所定操作することにより、図１０に示すようなコンテンツ一覧画面２９を表示させることができる。このコンテンツ一覧画面２９では、上記の伝達情報１３（図３）を用いてコンテンツサービス会社１に依頼したコンテンツのリストを示すものであって、このリストには、その識別情報ＩＤに含まれていたコンテンツ名と、そのコンテンツ名毎の動画像情報と詳細情報との購入状況とが示されている。
【００６２】
ここで、「動画」欄と「詳細」欄での○印は購入したことを示し、×印は購入しなかったことを示している。勿論、「詳細」欄での○印は上記の伝達情報１３で購入希望した詳細情報が購入されたことを示している。従って、このコンテンツ一覧画面２９によると、コンテンツ１，５については、動画像情報と詳細情報とが購入されており、コンテンツ２，３，７については、詳細情報のみが購入されており、コンテンツ４，６については、動画像情報のみが購入されていることになる。
【００６３】
また、コンテンツ８については、伝達情報１３を入手しているが、まだコンテンツサービス会社１から動画像情報、または、詳細情報を購入していないことを示している。
【００６４】
このように、図１０の内容は、他の利用者から送られてきた伝達情報が８個あり、それらの内容はコンテンツ１からコンテンツ７まで他の利用者の伝達内容を知ることができることを表わしている。
【００６５】
このコンテンツ一覧画面２９では、新たに伝達情報１３を用いてコンテンツサービス会社１にコンテンツの依頼を行なうと、このコンテンツ名と「メモ」欄での○印が入力され、コンテンツサービス会社１からこのコンテンツが配信されると、それに対応する「動画」欄と「詳細」欄に○印または×印が入力される。また、この依頼をキャンセルし、これに対する依頼の解消の通知がコンテンツサービス会社１からあると、「動画」欄と「詳細」欄とに×印が入力される。このコンテンツ一覧画面２９に表示されるコンテンツは端末に保管されているもののみであって、コンテンツが削除されると、それに関する情報がこのコンテンツ一覧画面２９から除かれる。
【００６６】
以上のようにして、利用者としては、依頼したコンテンツが配信されたかどうかを確認することができるし、また、現在保管されてみることができるコンテンツを知ることができる。
【００６７】
【発明の効果】
以上説明したように、本発明によれば、通常放送会社を介してシステム加入者に提供されるコンテンツを取得し損なっても、これを直接コンテンツサービス会社から取得できることになる。また、コンテンツサービス会社側からすると、単に放送会社を通じてコンテンツを配信するばかりでなく、これとは別にコンテンツを販売することができ、コンテンツのさらなる有効利用が図れることになる。
【図面の簡単な説明】
【図１】本発明によるコンテンツ提供システム及びコンテンツ提供方法の一実施形態を概略的に示すブロック図である。
【図２】図１における放送会社がコンテンツサービス会社から購入して放送するコンテンツの一態様を示す概略図である。
【図３】図１に示す実施形態で利用者がコンテンツサービス会社に情報の注文をするときに用いる伝達情報の一具体例を摸式的に示す図である。
【図４】図１における利用者端末での伝達情報作成のための表示画面の流れの一具体例を示す図である。
【図５】図１における利用者端末での伝達情報作成のための表示画面の流れの他の具体例を示す図である。
【図６】図１におけるコンテンツサービス会社のサーバの一具体例を示す機能構成図である。
【図７】図１に示す実施形態での利用者とコンテンツサービス会社との間のコンテンツ配信依頼のための手続きの一具体例を示すフローチャートである。
【図８】図７に示す手続きでの利用者の端末に表示される配信依頼受付画面の一具体例を示す図である。
【図９】図７に示す手続きでの利用者の端末に表示される確認画面の一具体例を示す図である。
【図１０】図１に示した実施形態における利用者端末で表示されるコンテンツ一覧画面の一具体例を示す図である。
【符号の説明】
１  コンテンツサービス会社
２  放送会社
３ａ，３ｂ  利用者
４  ＨＤＲ方式移動体通信システム回線網
５  インターネット
１０  コンテンツ
１１  動画像情報
１２  詳細情報
１３1，１３2，１３3  伝達情報
１４  動画像表示領域
１７  詳細情報が存在することを示すマーク
１８  詳細情報表示領域
１９  表示画面
２０  動画像表示領域
２３  詳細情報表示領域
２４，２５  識別情報表示領域
２７  配信依頼受付画面
２８  確認画面
【図１】
0004098960.tif 000002
【図２】
0004098960.tif 000003
【図３】
0004098960.tif 000004
【図４】
0004098960.tif 000005
【図５】
0004098960.tif 000006
【図６】
0004098960.tif 000007
【図７】
0004098960.tif 000008
【図８】
0004098960.tif 000009
【図９】
0004098960.tif 000010
【図１０】
0004098960.tif 000011